(57)【特許請求の範囲】
【請求項１】
二つの尾端を有し、各尾端に近いところに複数の開口を形成した長型ハウジングと、
長型ハウジングの内部に封入され、前記複数の開口の間に位置する複数のピストンとを含む容器であり、
前記複数のピストン間の長型ハウジングの内部に粘性物を密封して封入し、
前記複数のピストンはその輪郭とサイズが長型ハウジングの内部の横断面の輪郭と殆ど同じで、且つ長型ハウジングの内部を仕切って尾端側に複数の空気室を形成し、
前記ピストンが押されて長型ハウジングに沿って初期位置から移動する時、前記複数のピストン間に封入した粘性物が、前記長型ハウジングの開口を経由して流れ出すことを特徴とする容器。
【請求項２】
前記長型ハウジングに形成した複数の開口が密封蓋で覆われていることを特徴とする請求項１記載の容器。
【請求項３】
前記長型ハウジングの内部であって、複数のピストンの初期位置に、長型ハウジングの内部の横断面の面積を縮小した複数の制限器を設け、前記複数のピストンは前記複数の制限器に保持され、前記ピストンが押されて長型ハウジングに沿って初期位置から移動する時、前記複数のピストン間に封入した粘性物が、前記長型ハウジングの開口を経由して流れ出すことを特徴とする請求項１記載の容器。
【請求項４】
前記長型ハウジングに形成した複数の開口が密封蓋で覆われていることを特徴とする請求項３記載の容器。
【請求項５】
前記長型ハウジングに位置する複数の空気室に正圧の空気圧力が加えられていて、複数の密封蓋のうちの一つを開けると空気室に溜まっていた空気圧力が前記ピストンを初期位置から押して移動させて、且つ前記粘性物が前記長型ハウジングの開口を経由して、流れ出すことを特徴とする請求項４記載の容器。
【請求項６】
前記長型ハウジングに位置する複数の空気室が真空で負圧になって、複数の密封蓋のうちの一つを開けると他の空気室の真空圧力で以って、前記ピストンを初期位置から移動させて、且つ前記粘性物が前記長型ハウジングの開口を経由して、流れ出すことを特徴とする請求項４記載の容器。
【発明の詳細な説明】
【技術分野】
【０００１】
本発明は、どんなツールも使わずに、容器内に収納された粘性物をユーザーが直接接触せずに完全にかつ容易に取り出しでき、また運送もし易い、粘性物を収納する容器に関するものである。
【背景技術】
【０００２】
粘性物を運送するときや収納する容器を封入、通常不便に使うことがある。
また、粘性物を取り出せるように、塗布機又は別のツールをよく使用する。
軟質材の容器を採用した従来の容器は、まず、ユーザーが容器の密封蓋を開けてから、開口を露出させて、次に、容器本体に圧力を加えることによって、容器内の中味を開口から取り出している。
このような従来容器は、容器内の中味を完全に取り出すことができない。
それは容器本体に圧力を加えるときに、容器内の中味が分散されて、ある中味が容器に常時溜まっているためである。
【０００３】
もう一つの従来の容器としてポンプ手段を採用したものがある。ポンプ手段を操作して粘性物を吸い出している。この容器は製造する上で比較的に高価であり、且つ、小さい部品を取り付ける必要がある。
【発明の開示】
【発明が解決しようとする課題】
【０００４】
本発明は、密封環境中に粘性物を収納して、且つ、運送し易い容器を提供することにある。さらに本発明はどんなツールも使わずに、且つ、使用者が粘性物に接触せずに内部に収納された粘性物を容易に完全に取り出すことができる容器を提供することにある。
【課題を解決するための手段】
【０００５】
前記の目的を達成するために、本発明は長型容器であって、長型ハウジングの尾端に近い個所に一つ又は複数の開口を設けると共に、その内部に一つ又は複数のピストンを収容して設ける。ピストンの輪郭とサイズは長型ハウジングの内部の横断面の輪郭と殆ど同じにする。ピストンを押さえる時、長型ハウジングの縦長に沿って滑べらせることにより、長型ハウジング内の充填中味を完全に取り出すことができる容器である。
すなわち、本願の第１発明に係る容器は、二つの尾端を有し、各尾端に近いところに複数の開口を形成した長型ハウジングと、長型ハウジングの内部に封入され、前記複数の開口の間に位置する複数のピストンとを含む容器であり、前記複数のピストン間の長型ハウジングの内部に粘性物を密封して封入し、前記複数のピストンはその輪郭とサイズが長型ハウジングの内部の横断面の輪郭と殆ど同じで、且つ長型ハウジングの内部を仕切って尾端側に複数の空気室を形成し、前記ピストンが押されて長型ハウジングに沿って初期位置から移動する時、前記複数のピストン間に封入した粘性物が、前記長型ハウジングの開口を経由して流れ出すことを特徴とするものである。
本願の第２発明に係る容器は、前記第１発明において、前記長型ハウジングに形成した複数の開口が密封蓋で覆われていることを特徴とするものである。
本願の第３発明に係る容器は、前記第１発明において、前記長型ハウジングの内部であって、複数のピストンの初期位置に、長型ハウジングの内部の横断面の面積を縮小した複数の制限器を設け、前記複数のピストンは前記複数の制限器に保持され、前記ピストンが押されて長型ハウジングに沿って初期位置から移動する時、前記複数のピストン間に封入した粘性物が、前記長型ハウジングの開口を経由して流れ出すことを特徴とするものである。
本願の第４発明に係る容器は、前記第３発明において、前記長型ハウジングに形成した複数の開口が密封蓋で覆われていることを特徴とするものである。
本願の第５発明に係る容器は、前記第４発明において、前記長型ハウジングに位置する複数の空気室に正圧の空気圧力が加えられていて、複数の密封蓋のうちの一つを開けると空気室に溜まっていた空気圧力が前記ピストンを初期位置から押して移動させて、且つ前記粘性物が前記長型ハウジングの開口を経由して、流れ出すことを特徴とするものである。
本願の第６発明に係る容器は、前記第４発明において、前記長型ハウジングに位置する複数の空気室が真空で負圧になって、複数の密封蓋のうちの一つを開けると他の空気室の真空圧力で以って、前記ピストンを初期位置から移動させて、且つ前記粘性物が前記長型ハウジングの開口を経由して、流れ出すことを特徴とするものである。
【発明の効果】
【０００６】
本発明は、密封の環境中に、粘性物を収納し、且つ、運送し易い容器を提供することができる。
さらに容器内に収納された粘性物をなんらの道具を用いずに、且つ、使用者が直接触れずに完全に粘性物を簡易に取り出すことができる。
【発明を実施するための最良の形態】
【０００７】
以下、本発明の容器について、図面を参照しながら説明する。
図１には、容器の最適な具体例を示す。
容器は二つの尾端付きの長型ハウジング１を有する。
開口３は二つの尾端のそれぞれに近いところに位置する。
二つのピストン２は長型ハウジング１の内部に封入されている。
ピストン２の輪郭とサイズは同長型ハウジング１の内部の輪郭とサイズと略同様である。
また二つのピストン２は二つの開口３の間に位置する。
二つのピストン２の間の長型ハウジング１内には、粘性物４を密封して封入する。
粘性物４は長型ハウジング１内に封入されている。
二つのピストン２は空気圧力又は本体の力を受けると、これら最初の位置（初期位置）から移動する。
【０００８】
使用者は簡単に指で開口３のいずれを押して、長型ハウジング１の一端の開口３の下端にある空気室を加圧することで圧力を発生させ、またはピストン２を押して、長型ハウジング１に対向する端部の他端の開口３へピストン２を移動させる。
その結果、粘性物４は長型ハウジング１に沿って、ピストン２と同じレート及び距離を滑りながら移動する。
長型ハウジング１内の対向する端部のピストン２が滑り、長型ハウジング１に対向する端部の他端の開口３を通過すると、粘性物４は長型ハウジング１に対向する端部の他端の開口３から流出して使用に供される。
ピストン２は長型ハウジング１に沿って滑りながら移動する時に、長型ハウジング１の内部の表面の粘性物４を削り取って、全ての粘性物４を完全に取り出すことができる。
使用者は同時に長型ハウジング１の本体に簡単に力を加えて、長型ハウジング１の一端を押さえ、実質にピストン２を押さえせて、長型ハウジング１の他端へ滑らせて移動させることで同様な結果を得られる。
【０００９】
図２は図１の容器の別の具体例示す。
最適な具体例は二つの開口３のそれぞれを覆う密封蓋５がある。
密封蓋５は、さらに汚物が長型ハウジング１に入れることを防止し、また長型ハウジング１を完全密封し、その結果、開口３の下端の気体室を密封にしている。
【００１０】
図３は、図１の容器の別の具体例を示す。
本例の容器は二つの尾端付きの長型ハウジング１を有する。開口３は二つの尾端に近い一端に位置する。
ピストン２は長型ハウジング１の内部に封入されていて、ピストン２の輪郭とサイズは同長型ハウジング１の内部の輪郭とサイズと略同様である。
またピストン２は開口３に近い一端に位置する。
また、開口がなく刻痕６付きの長型ハウジング１の他端とピストン２の間に粘性物４を封入する。
長型ハウジング１を折り曲げる時、長型ハウジング１が断開される。
ピストン２は空気圧力、又は本体の力で押されて初期位置から移動することで、長型ハウジング１内に封入された粘性物４が、長型ハウジング１の刻痕６の断開個所から長型ハウジング１外へ流出される。
【００１１】
図３は具体例の別の変形例を示す。
刻痕６付きの代わりに、感圧性開口を用いる。ピストン２は最初位置から空気圧力又は本体の力で押さえて移動して、粘性物４が長型ハウジング１の感圧性開口による密封された他端を押さえる時、圧力を発生させて、その圧力の結果によって、感圧性開口が開けられて、また容器から粘性物４を取り出すことができる。感圧性開口の設計は粘性物４がちょうど長型ハウジング１から滲出することを防止する力で長型ハウジング１の一端を密封されることによって達成するが、仮に、感圧性部材に予定量の圧力を印加すると、感圧性部材が破損することが発生する。
【００１２】
図４は具体例の別の変形例を示す。
開口３は密封蓋５によって覆いでいる。密封蓋５はさらに汚物が長型ハウジング１に入ることを防止すると共に、また長型ハウジング１を完全密封を達成して、開口３の下端にある気体室を密封する。
【００１３】
図５は具体例の別の変形例を示す。
容器は二つの尾端付きの長型ハウジング１を有する。
開口３は二つの尾端のそれぞれに近い個所に位置する。
二つのピストン２は長型ハウジング１の内部に封入されている。
ピストン２の輪郭とサイズは同長型ハウジング１の内部の輪郭とサイズと略同様であり、各開口３の真下にピストン２を設けている。
従って、開口３が密封されている。
また粘性物４は長型ハウジング１内の二つのピストン２の間に密封して封入される。
粘性物４は長型ハウジング１内に封入されていて、ピストン２が空気圧力、又は本体に力を受ける時、これらのピストン２が初期位置から押されて移動する。
図６に示すように、使用者は長型ハウジング１のいずれか一端に圧力を発生させて、ピストン２を押して、初期位置から滑りながら離れ、長型ハウジング１の他端へ向けて移動する。
粘性物４は長型ハウジング１に沿つて、ピストン２と同じレート及び距離を滑りながら移動する。
長型ハウジング１に対向する端部のピストン２が滑りながら移動し、長型ハウジング１に対向する端部の他端の開口３を通過すると、粘性物４は長型ハウジング１に対向する端部の他端の開口３から流れ出て使用されている。
ピストン２は長型ハウジング１に沿って滑る時に、長型ハウジング１の内部の表面の粘性物４を削り取って、全ての粘性物４を完全に取り出す。
【００１４】
図７は具体例の別の変形例を示す。
容器は二つの尾端付きの長型ハウジング１を有する。
開口３は二つの尾端のそれぞれに近い個所に位置する。
二つのピストン２は長型ハウジング１の内部に封入される。
ピストン２は長型ハウジング１の内径より略小さい寸法を有していて、制限器７により、ピストン２を所定の位置に保持する。
また二つのピストン２は二つの開口３の間に位置する。
また粘性物４は長型ハウジング１内の二つのピストン２の間に密封して封入する。
粘性物４は長型ハウジング１の内に封入されている。
ピストン２は空気圧力、又は本体の力を受けると、制限器７から移動する。
ピストン２が制限器７から離れると、粘性物４は長型ハウジング１内で自在に移動し、図８に示すように粘性物４が何れかの開口３から流出する。
【００１５】
図９は図７の容器の具体例の別の変形例を示す。
二つの開口３がそれぞれ蓋５で覆われている。
密封蓋５は、汚物が長型ハウジング１に入ることを防止し、また長型ハウジング１を完全密封する結果、開口３の下端の気体室を密封する。
さらに、密封された空気室を加圧した正圧、又は負圧にする。
ピストン２を押されて、制限器７を設けた初期位置から滑りながら離れ、図１０に示すように粘性物４が長型ハウジング１内を自在に移動して開口３から流出する。
【図面の簡単な説明】
【００１６】
【図１】容器の最適な具体例であり、長型ハウジングに近い一端毎にそれぞれ一つの開口があり、合計二つの開口と、二つのピストンとを設けることを示す。
【図２】容器の別の具体例であり、密封蓋を閉じて密封された二つの開口と、長型ハウジングに近い一端毎にそれぞれ一つの開口があり、合計二つの開口と、二つのピストンとを設けることを示す。
【図３】容器の別の具体例であり、長型ハウジングに近い一端に開口及びピストンを設けて、長型ハウジングの開閉端の間に粘性物を封入されて、開閉端に近い個所に刻痕を設けることを示す。
【図４】容器の別の具体例であり、長型ハウジングに近い一端に密封蓋に閉じされた開口及びピストンを設けて、長型ハウジングの開閉端の間に粘性物を封入されて、開閉端に近い個所に刻痕を設けることを示す。
【図５】容器の別の具体例であり、二つの開口と、二つのピストンを設けて、長型ハウジングに近い一端毎にそれぞれ開口があり、その二つのピストンが二つの開口位置と同じ位置にあり、開口を密封して、粘性物を封入されていることを示す。
【図６】ピストンを押さえられてから、開口から遠く離れる位置に、長型ハウジング内の中味を取り出すことを示す。
【図７】容器の別の具体例であり、二つの開口と、二つのピストンとを設けて、長型ハウジングに近い一端毎にそれぞれ開口があり、その二つのピストンが二つの制限器による収納位置に保持して、粘性物を封入されていることを示す。
【図８】ピストンを押さえられてから、それら保持位置から遠く離れる位置に、長型ハウジング内の中味を取り出すことを示す。
【図９】容器の別の具体例であり、二つの開口と、二つのピストンとを設けて、長型ハウジングに近い一端毎にそれぞれ開口があり、その二つのピストンが二つの制限器による収納位置に保持して、粘性物を封入されていることを示す。
【図１０】ピストンを押さえられてから、それら保持位置から遠く離れる位置に、長型ハウジング内の中味を取り出すことを示す。
【符号の説明】
【００１７】
１  長型ハウジング
２  ピストン
３  開口
４  粘性物
５  密封蓋
６  刻痕
７  制限器
【図１】
0003893129.tif 000002
【図２】
0003893129.tif 000003
【図３】
0003893129.tif 000004
【図４】
0003893129.tif 000005
【図５】
0003893129.tif 000006
【図６】
0003893129.tif 000007
【図７】
0003893129.tif 000008
【図８】
0003893129.tif 000009
【図９】
0003893129.tif 000010
【図１０】
0003893129.tif 000011